(57)【要約】【課題】泥状の焼却灰等の付着し易く異物を含む材料を篩い分けしても、材料や異物によって開口部が閉塞することがなく効率良く篩い分けできるとともに、メンテナンス作業に掛かる労力と時間とを大幅に削減して、高い稼働率を維持できる振動式篩装置を提供する。【解決手段】篩面１２と振動付与手段１８とを備えた振動式篩装置１０であって、篩面１２は、前方に向けて突出した突出部と後方に向けて後退した凹部とが交互に並列するように形成された櫛歯部材３０が複数縦列されることによって構成されており、櫛歯部材３０は、前方に向けて下るような階段状に、かつ、櫛歯部材３０の前記突出部と櫛歯部材３０の前方に位置する他の櫛歯部材３０の後端側部分とが重なり合うように配列されるとともに、各櫛歯部材３０の上面が水平になるように配置され、櫛歯部材３０には、前記突出部の下面から下方に向けて延びる遮蔽板３４が設けられたことを特徴とする。【選択図】図１
2008142628.tif 000002
【特許請求の範囲】
【請求項１】
篩面と、該篩面に振動を与える振動付与手段とを備え、前記篩面に載置した材料を搬送方向に搬送しながら篩い分けする振動式篩装置であって、
前記篩面は、前記搬送方向前方に向けて突出した突出部と前記搬送方向後方に向けて後退した凹部とが交互に並列するように形成された櫛歯部材が前記搬送方向に複数配置されることによって構成されており、
前記櫛歯部材は、前記搬送方向前方に向けて下るような階段状に、かつ、前記櫛歯部材の前記突出部と前記櫛歯部材の前記搬送方向前方に位置する他の櫛歯部材の後端側部分とが重なり合うように配列されるとともに、各櫛歯部材の上面が水平になるように配置され、
前記櫛歯部材には、前記突出部の下面から下方に向けて延びる遮蔽板が前記搬送方向に沿って設けられたことを特徴とする振動式篩装置。
【請求項２】
前記櫛歯部材の前記凹部の下側に位置する他の前記櫛歯部材の後端部には、前記搬送方向後方に向かうに従い漸次下側へ後退する傾斜面が形成されていることを特徴とする請求項１に記載の振動式篩装置。
【発明の詳細な説明】
【技術分野】
【０００１】
本発明は、篩面に振動を与えることにより、篩面の上に載置された材料の篩い分けを行う振動式篩装置に関するものである。
【背景技術】
【０００２】
振動式篩装置は、所定の大きさの開口部を複数有する篩面の上に材料を載置して、篩面を振動させることにより、開口部よりも微細な材料を篩面の下側に篩い落とし、開口部よりも粗大な材料を篩面の上側に残置させて、材料の篩い分けを行うものである。
このような篩面を構成するものとして、金網を利用したもの（特許文献１参照）や櫛歯部材を縦列に配置したもの（特許文献２及び特許文献３参照）などがある。
【０００３】
櫛歯部材とは、前方に向けて突出した突出部と後方に後退した凹部とが交互に並列するように形成されて櫛歯状をなすものである。このような櫛歯部材を前後に縦列させて、櫛歯部材の突出部と該櫛歯部材の前方に位置する他の櫛歯部材の後端部分とを重なるように配列することにより、櫛歯部材と他の櫛歯部材との間に所定の大きさの開口部が形成され、上記篩面を構成するものである。
【０００４】
櫛歯部材を使用した従来の振動式篩装置の一例を図４及び図５に示す。この振動式篩装置１は、篩面２を形成する複数の櫛歯部材３と、この櫛歯部材３を収容するケーシング４とを有する。
櫛歯部材３は、図４に示すように断面概略Ｌ字状に形成されている。Ｌ字をなす２辺のうちの長辺側の先端部に、前方に向けて突出する突出部５と後方に向けて後退する凹部６とが交互に並列するように配置された櫛歯が形成されている。
【０００５】
櫛歯部材３は、図４に示すように櫛歯部材３の上面が傾斜して突出部５が上方を向くように配置され、複数の櫛歯部材３が縦列されている。ここで、櫛歯部材３の突出部５が、この櫛歯部材３の前方に位置する他の櫛歯部材３の後端側部分に重なり合うように配置されているのである。
このように配置された複数の櫛歯部材３によって、図５に示すように一つの櫛歯部材３と他の櫛歯部材３との間に所定の大きさの開口部７が形成され、篩面２を構成することになる。
【０００６】
また、櫛歯部材を使用した振動式篩装置の他の例として、各櫛歯部材を、突起部が下方を向くように傾斜させて配置するとともに、櫛歯部材を階段状に配列したものが提供されている（特許文献３参照）。
この振動式篩装置では、櫛歯部材の上に載置された材料が篩い分けされるとともに、篩面の上面、つまり櫛歯部材の上面に残置された粗大物が階段を下るようにして搬送されるものである。
【０００７】
ところで、上記の振動式篩装置で篩い分けする材料の一例として、焼却炉で発生する焼却灰などが挙げられる。焼却炉で発生する焼却灰には、冷却のため及び搬送中の飛散防止のために水が吹き付けられており、篩い分けされる焼却灰は水分を２０％から３０％含んだ泥状のものとされている。この焼却灰には、例えば不燃物である針金やネジといった金属片等の異物が混入していることがあり、焼却灰と異物とを分離するために振動式篩装置を使用することがある。
【特許文献１】特開昭５６−１４２３１２号公報
【特許文献２】特開平０８−２９９９０６号公報
【特許文献３】特開平１０−１３２２５０号公報
【発明の開示】
【発明が解決しようとする課題】
【０００８】
しかしながら、異物が混入した焼却灰を図４及び図５に示す振動式篩装置１で篩い分けした場合には、焼却灰が水分を２０％から３０％含んだ泥状のものであるため、突出部５に隣り合う一対の凹部６から篩い落とされた焼却灰が突出部５の下側で一体化し、泥状の焼却灰が突出部５を包み込みように付着して、開口部７を閉塞してしまうことがあった。
また、前後する櫛歯部材３の間には、図４に示すように一定の空間が存在する。このために、例えば開口部７を通過できない薄板状の異物が、櫛歯部材３の間をすり抜けて篩面２の下側に落下してしまうことがあった。すると、せっかく振動式篩装置１を使用したにもかかわらず、焼却灰と異物とを分離できなくなってしまうといった問題があった。
【０００９】
さらに、櫛歯部材３を、突出部５が上方を向くように傾斜して配置しているので、櫛歯部材３の上に載置された泥状の焼却灰や金属片等が突出部５の付け根部分（凹部６）に向けて滑り落ちることになり、突出部５の付け根部分（凹部６）に焼却灰や金属片等が絡み付き、これが起因となって開口部７が閉塞し、篩い分けを効率良く行うことができなくなるといった問題があった。
【００１０】
また、突出部に付着した泥状の焼却灰や絡み付いた金属片等を除去するために、櫛歯部材３の清掃を頻繁に行う必要があり、振動式篩装置１のメンテナンス作業に多くの時間と労力を要するといった問題があった。また、メンテナンス作業の増加に伴って振動式篩装置１の稼働率が低下するといった問題があった。
【００１１】
特許文献３に開示されたように、櫛歯部材の突出部を下方に向けて傾斜するように配置した振動式篩装置では、櫛歯部材の上に載置された焼却灰や金属片等が突出部の付け根部分（凹部）に集積して絡み付くことはない。しかし、泥状の焼却灰や金属片等は、突出部の前方側へ滑り落ちていき、前方に位置する他の櫛歯部材との間に集積されてしまう。このため、櫛歯部材と櫛歯部材の間の部分で閉塞が発生しやすくなってしまうといった問題があった。
【００１２】
本発明は、上述の事情に鑑みてなされたものであって、泥状の焼却灰などの突出部に付着し易く、金属片などの異物を含む材料を篩い分けしても、材料や異物が櫛歯部材に絡み付いて開口部が閉塞することがなく効率良く篩い分けできるとともに、振動式篩装置のメンテナンス作業に掛かる労力と時間とを大幅に削減して、高い稼働率を維持できる振動式篩装置を提供することを目的とする。
【課題を解決するための手段】
【００１３】
上記の目的を達成するために、この発明は以下の手段を提案している。
請求項１に係る発明は、篩面と、該篩面に振動を与える振動付与手段とを備え、前記篩面に載置した材料を搬送方向に搬送しながら篩い分けする振動式篩装置であって、前記篩面は、前記搬送方向前方に向けて突出した突出部と前記搬送方向後方に向けて後退した凹部とが交互に並列するように形成された櫛歯部材が前記搬送方向に複数配置されることによって構成されており、前記櫛歯部材は、前記搬送方向前方に向けて下るような階段状に、かつ、前記櫛歯部材の前記突出部と前記櫛歯部材の前記搬送方向前方に位置する他の櫛歯部材の後端側部分とが重なり合うように配列されるとともに、各櫛歯部材の上面が水平になるように配置され、前記櫛歯部材には、前記突出部の下面から下方に向けて延びる遮蔽板が前記搬送方向に沿って設けられたことを特徴としている。
【００１４】
この構成の振動式篩装置では、櫛歯部材が搬送方向前方に向けて下るような階段状に配列されているので、櫛歯部材の上面に載置された材料が振動によって搬送方向へと移動されるとともに、櫛歯部材間の開口部から微細な材料が櫛歯部材の下側へ篩い落とされ、材料の篩い分けがなされる。
【００１５】
また、突出部下面側の部分が遮蔽板によって分割されているので、櫛歯部材の直下において、開口部から篩い落とされた材料等が他の開口部から落下した材料等と一体化することがない。さらに、遮蔽板によって、前後する櫛歯部材の間の空間が小さくされているので、薄板状の粗大物が櫛歯部材の間をすり抜けて篩面の下側に落下してしまうことが防止される。
また、櫛歯部材の上面が水平となるように配置されているので、櫛歯部材の上面に載置された材料や異物が突出部の根元部分や櫛歯部材間に向けて滑り落ちて集積することがない。
【００１６】
請求項２に係る発明は、前記櫛歯部材の前記凹部の下側に位置する他の前記櫛歯部材の後端部には、後方に向かうにしたがい漸次下側へ後退する傾斜面が形成されていることを特徴としている。
この構成の振動式篩装置では、開口部から篩い落とされた材料が、前方下側に配置された櫛歯部材の傾斜面に沿って櫛歯部材の下方へと案内される。
【発明の効果】
【００１７】
請求項１に係る発明によれば、材料や異物が突出部の根元部分や櫛歯部材間に集積されることがないので、開口部が閉塞してしまうことを防止でき、材料の篩い分けを効率良く確実に行うことができる。
また、材料を効率良く搬送方向へ向けて移送することができ、材料を篩い分けしながら搬送することができる。
【００１８】
さらに、遮蔽板によって開口部から振り落とされた材料が、他の開口部から篩い落とされた材料と櫛歯部材の直下で一体化することが防止されているので、例えば泥状の焼却灰などを篩い分けする場合でも、焼却灰が突出部を包み込むように付着することがなく、開口部の閉塞を防止できる。したがって、櫛歯部材の清掃などのメンテナンス作業に要する時間と労力を大幅に削減することができ、篩装置の稼働率を上げることができる。
さらに、遮蔽板によって、薄板状の粗大物が櫛歯部材の間をすり抜けて篩面の下側に落下することが防止されるので、篩い分けを確実に行うことができる。
【００１９】
請求項２に係る発明によれば、開口部から篩い落とされた材料は、その前方に位置する櫛歯部材の傾斜面に沿って下側に案内されるので、前後する櫛歯部材の間に材料が集積することがなく、開口部の閉塞をさらに確実に防止することができる。
【００２０】
このように、本発明によれば、泥状の焼却灰などの突出部に付着し易く、金属片などの異物を含む材料を篩い分けしても、材料や異物が櫛歯部材に絡み付いて開口部が閉塞することがなく効率良く篩い分けできるとともに、振動式篩装置のメンテナンス作業に掛かる労力と時間とを大幅に削減して、高い稼働率を維持できる振動式篩装置を提供することができる。
【発明を実施するための最良の形態】
【００２１】
本発明の実施形態について添付した図面を参照して説明する。図１から図３に本発明の実施形態である振動式篩装置の一例を示す。
振動式篩装置１０は、図１に示すように搬送方向Ｘに向けて延びるケーシング１１と、ケーシング１１の中に収容された篩面１２と、篩面１２及びケーシング１１を支持する振動台１３とを有している。
【００２２】
振動台１３にはモータ１４が載置されており、このモータ１４にはクランクアーム１５の一端が接続され、クランクアーム１５の他端側はクランク軸１６に接続されている。このクランク軸１６には、振動伝達部材１７の一端が接続され、振動伝達部材１７の他端側はケーシング１１の側壁面に固定されている。そして、これら振動台１３とモータ１４とクランクアーム１５とクランク軸１６と振動伝達部材１７とがケーシング１１及び篩面１２に対して振動を与える振動付与手段１８を構成している。
【００２３】
この振動台１３とケーシング１１とは、複数（本実施形態では、図１に示すように３つ）の棒状の連結部材１９によって連結されており、連結部材１９の一端側とケーシング１１とが第１係止部２０によって回転可能に係止され、連結部材１９の他端側と振動台１３とが第２係止部２１によって回転可能に係止されている。そして、この連結部材１９の長手方向中央部は、振動台１３の上面に設けられた回転支軸２２によって回転可能に支持されているのである。
また、ケーシング１１と振動台１３とは、複数（本実施形態では、図１に示すように３つ）の傾斜バネ材２３によって連結されている。
【００２４】
ケーシング１１は、図１に示すように搬送方向Ｘに沿って配置されている。搬送方向Ｘ後方側（図１において左側）には、図示しない投入口が設けられており、搬送方向Ｘ前方側（図１において左側）には、ケーシング１１の内部に収容された篩面１２の上側に残置された粗大物や異物が移送される篩上移送部２４が形成されている。
そして、篩上移送部２４の搬送方向Ｘ後方側には、ケーシング１１の内部に収容された篩面１２の下側からさらに下方に向けて延びる篩下排出口２５が設けられている。
【００２５】
ケーシング１１の内部には、図１に示すように、搬送方向Ｘ後方側からケーシング１１の中央部近傍まで延びるデッキ部２６と、このデッキ部２６から篩上移送部２４まで搬送方向Ｘ前方側に向かうにしたがい漸次下側に向かうように傾斜した篩面１２とが収容されている。
デッキ部２６は、帯状部材２７が縦列に隙間無く並べられて構成されており、デッキ部２６上面に載置された材料を篩面１２まで搬送するものである。
【００２６】
篩面１２は、複数の櫛歯部材３０によって構成されている。
櫛歯部材３０は、図３に示すように、前方に向けて突出する突出部３１と後方に向けて後退して上面視してＵ字状をなす凹部３２とが交互に並列するように形成されている。櫛歯部材３０の後端側には、図２に示すように櫛歯部材３０の後方側に向かうにしたがい漸次下側へ向かうような傾斜面３３が形成されている。
また、各突出部３１の下面には、図２及び図３に示すように下側に向けて垂直に延びる遮蔽板３４が形成されており、前方に位置する他の櫛歯部材３０の傾斜面３３と干渉しないように遮蔽板３４の角部に面取り加工がなされている。
【００２７】
この櫛歯部材３０は、図１及び図２に示すように、その上面が水平になるように配置され、複数の櫛歯部材３０が搬送方向Ｘに向かって下るような階段状に配列されている。ここで、図３に示すように、一つの櫛歯部材３０の突出部３１と該櫛歯部材３０の前方に位置する他の櫛歯部材３０の後端側部分とが重なり合うように配置され、本実施形態では、櫛歯部材３０の凹部３２の下側に他の櫛歯部材３０の傾斜面３３が位置するように配置されている。
このように配置された櫛歯部材３０によって、図３に示すように、櫛歯部材３０と他の櫛歯部材３０との間に所定の大きさの開口部３５が形成され、篩面１２を構成することになる。
【００２８】
この振動式篩装置１０によって焼却灰の篩い分けが行われる。ここで、焼却灰は、冷却のため及び搬送中の飛散防止のために水が吹き付けられて水分を２０％から３０％含んだ泥状のものであり、その内部に不燃物である針金やネジ等の金属片が混入している。以下に、上記構成の振動式篩装置１０によって焼却灰と金属片との篩い分けを行う際の作用について説明する。
【００２９】
モータ１４を回転させることにより、クランクアーム１５を介して接続されたクランク軸１６に動力が伝わり、クランク軸１６に接続された振動伝達部材１７が揺動する。この揺動が振動伝達部材１７の一端側が固定されているケーシング１１に伝達されて、ケーシング１１及びケーシング１１内部に収容された篩面１２及びデッキ部２６に振動が付与される。ここで、傾斜バネ材２３及び連結部材１９は、ケーシング１１の動きを規制するガイドの役割をなしている。
【００３０】
このように振動が付与されたケーシング１１内に、図示しない投入口から焼却灰が投入され、デッキ部２６の上面に沿って篩面１２まで搬送される。篩面１２の上面に載置された焼却灰は、振動によって搬送方向Ｘに向けて搬送されるとともに、篩面１２を構成する櫛歯部材３０の開口部３５から篩面１２の下側へ篩い落とされ、篩面１２の上、つまり櫛歯部材３０の上面には、焼却灰に混入していた針金やネジ等の金属片が残置されることになる。
そして、篩面１２の下側に篩い落とされた焼却灰は、篩下排出口２５を通じて振動式篩装置１０の外部へと排出される。また、篩面１２の上側に残置された金属片は、篩上移送部２４へと移送されて、焼却灰とは分離されて排出されるのである。
【００３１】
本実施形態による振動式篩装置１０では、櫛歯部材３０の上面が水平になるように配置されているので、櫛歯部材３０の上面に載置された焼却灰や金属片が、櫛歯部材３０の突出部３１の付け根部分（凹部３２）や前後する櫛歯部材３０の間に集積することがなく、開口部３５の閉塞を抑制することができる。
【００３２】
また、突出部３１の下側に遮蔽板３４が設けられているので、複数の開口部３５から落下した泥状の焼却灰が櫛歯部材３０の直下で一体化することがなく、突出部３１を包み込むように付着することが防止され、開口部３５の閉塞を確実に防止することができる。
また、遮蔽板３４によって、前後する櫛歯部材の間の空間が小さくなり、薄板状の金属片等がすり抜けて篩面１２下側に落下することを防止でき、焼却灰と金属片との篩い分けを確実に行うことができる。
さらに、櫛歯部材３０の後端側に傾斜面３３が形成されているので、開口部３５から落下した焼却灰が傾斜面３３に沿って篩面１２の下方に案内される。よって、前後する櫛歯部材３０の間に泥状の焼却灰が停滞することがなく、開口部３５の閉塞をさらに確実に防止できる。
【００３３】
本実施形態による振動式篩装置１０によれば、上記のように開口部３５の閉塞が防止されているので、効率良く篩い分けできるとともに櫛歯部材３０の清掃などのメンテナンス作業に要する時間と労力を大幅に削減することができ、この振動式篩装置１０の稼働率を向上させることができる。
【００３４】
以上、本実施形態について説明したが、本発明はこれに限定されることはなく、その発明の技術的思想を逸脱しない範囲で適宜変更可能である。
例えば、本実施形態では、焼却灰の篩い分けを行う振動式篩装置１０として説明したが、他の材料を篩い分けするものであってもよい。
また、凹部３２を上面視してＵ字状をなすものとして説明したが、これに限定されることはなく、上面視Ｖ字状をなすものであってもよい。
【図面の簡単な説明】
【００３５】
【図１】本発明の実施形態である振動式篩装置の側面部分断面図である。
【図２】図１に示す振動式篩装置に備えられた櫛歯部材の側面図である。
【図３】図２の上面図である。
【図４】従来の振動式篩装置に備えられた櫛歯部材の部分側面図である。
【図５】図４の上面図である。
【符号の説明】
【００３６】
１０  振動式篩装置
１２  篩面
１８  振動付与手段
３０  櫛歯部材
３１  突出部
３２  凹部
３３  傾斜面
３４  遮蔽板
【図１】
2008142628.tif 000003
【図２】
2008142628.tif 000004
【図３】
2008142628.tif 000005
【図４】
2008142628.tif 000006
【図５】
2008142628.tif 000007